(57)【特許請求の範囲】
【請求項１】
便器本体の上面両側に肘掛けを立設した便器であって、該肘掛けは支柱と該支柱に支持されている肘支え板とからなり、両側の肘支え板の前端部には前面支え部材が着脱可能に差渡されている簡易便器であって、
該前面支え部材は、部材本体と、該部材本体の両側面に左右摺動可能に取付けられている摺動支持杆とからなり、
該摺動支持杆には、下面部と垂直面部とからなるブラケットが該垂直面部を介して取付けられており、該下面部には締付けボルト部材が螺着されており、
該肘掛けの間隔に対応して該摺動支持杆の左右摺動位置を調節すると共に該前面支え部材と該ブラケットの下面部との間に該肘掛けの肘支え板を嵌合し、該締付けボルト部材によって締付けることによって、該前面支え部材は両側の該肘掛けの肘支え板の前端部に差渡され着脱可能に固定される
ことを特徴とする簡易便器。
【発明の詳細な説明】
【技術分野】
【０００１】
本発明は持運びが出来る簡易便器に関するものである。
【背景技術】
【０００２】
この種の簡易便器は一般に室内所定個所に置かれ、病人、老人、身障者が使用する場合が多い。したがって上記体の不自由な人が使用する場合、使い勝手の良い構造を採用することが必要とされる。
特に排便時に使用者が排便容易な姿勢をとり得るようにすることが望ましい。排便容易な姿勢とは便器本体に腰かけた使用者が前かがみになる姿勢である。
このような前かがみになる姿勢をとり易くするために、従来便器本体の前側に腕置台を配置した構成（特許文献１）、あるいは便器本体上面両側に立設した肘掛けの先端部に握持杆を回動可能に取付けた構成（特許文献２）等が提供されている。
【０００３】
【特許文献１】実開昭５７−１６０７２２号のマイクロフィルム（請求項１）
【特許文献２】特開２００２−３３０８９７号公報（請求項１、図１）
【発明の開示】
【発明が解決しようとする課題】
【０００４】
上記従来構成のうち、便器本体の前側に腕置台を配置した構成では、腕置台や該腕置台を支持するための支持台等の部材が別個に必要であり、また場所をとるし、使用者が便器本体に腰かけたり立上ったりする時にも腕置台や支持台等が干渉する。
また肘掛けの先端部に握持杆を回動可能に取付けた構成では、前かがみの姿勢では肘掛けと握持杆とが使用者の体にフィットしにくゝ使い勝手が悪い。
【課題を解決するための手段】
【０００５】
本発明は上記従来の課題を解決するための手段として、便器本体(2) の上面両側に肘掛け(6) を立設した便器であって、該肘掛け(6) は支柱(10)と該支柱(10)に支持されている肘支え板(11)とからなり、両側の肘支え板(11)の前端部には前面支え部材(14)が着脱可能に差渡されている簡易便器(1) であって、該前面支え部材(14)は、部材本体(152) と、該部材本体(152) の両側面に左右摺動可能に取付けられている摺動支持杆(153) とからなり、該摺動支持杆(153) には、下面部(18)と垂直面部(19)とからなるブラケット(16)が該垂直面部(19)を介して取付けられており、該下面部(18)には締付けボルト部材(25)が螺着されており、該肘掛け(6) の間隔に対応して該摺動支持杆(153) の左右摺動位置を調節すると共に該前面支え部材(14)と該ブラケット(16)の下面部(18)との間に該肘掛け(6) の肘支え板(11)を嵌合し、該締付けボルト部材(25)によって締付けることによって、該前面支え部材(14)は両側の該肘掛け(6) の肘支え板(11)の前端部に差渡され着脱可能に固定される簡易便器(1) を提供するものである。
【発明の効果】
【０００６】
〔作用〕
使用者は便器本体(2) に腰かけ、そして両側の肘掛け(6) の肘支え板(11)の前端部に前面支え部材(14)を取付ける。使用者は排便時力を入れ易い前かがみになり、腕を該前面支え部材(14)に支えると、前かがみ姿勢が楽にとれる。
使用後は該前面支え部材(14)を肘掛けから取りはずすと、使用者が該便器本体(2) から立上って離れる時に障害にならない。
【０００７】
〔効果〕
本発明では左右の肘掛けの前端に前面支え部材を着脱可能に差渡し取付けるので、便器が場所をとらずコンパクトになり、使用者が前かがみの力を入れ易い姿勢をとっても、該前面支え部材によって腕を支えて楽に排便することが出来る。
【発明を実施するための最良の形態】
【０００８】
本発明を図１〜図４に示す一実施例によって説明すれば、簡易便器(1) は便器本体(2) と、便器本体(2) の上面に載置される便座(3) と、該便座(3) 上に被着される座蓋(4) と、該便器本体(2) 上面後縁に立設される背もたれ(5) と、該便器本体(2) 上面両側に立設されている肘掛け(6) とからなり、該便座(3) は後縁ヒンジ部によって該便器本体(2) 上面後縁部に跳ね上げ可能に枢着されており、該座蓋(4) は中央から二つに折畳み可能とされており、後縁は便器本体(2) 上面後端にヒンジ部(7) を介して枢着されており、使用状態では該座蓋(4) は図１に示す該便座(3) 上に被着された状態から図２に示す折畳み状態で後方へ跳ね上げ、背もたれ(5) の内側を通り抜けて後方へ撤去された状態にされる。
該座蓋(4) を該便座(3) 上に被着した図１に示す状態では、該座蓋(4) 上に腰かけて該簡易便器(1) を椅子として使用出来る。
【０００９】
該背もたれ(5) は左右側枠(8,8) と、該左右側枠(8,8) 間に差渡されている背当て(9) とからなり、該座蓋(4) を後方へ撤去させる時には、該左右側枠(8,8) 間の背当て(9) 下側空間を通り抜ける位置まで回動させる。
【００１０】
該肘掛け(6) は支柱(10)と、該支柱(10)に前端部を支持され、後端部は該背もたれ(5) の左右側枠(8,8) に支持されている肘支え板(11)とからなる。
【００１１】
更に便器本体(2) の左右両側下部には前後一対の脚板(12,12) を立設した脚基部(13)がそれぞれ取付けられている。
【００１２】
上記簡易便器(1) は木材、合板、パーチクルボード、ハードボード等の木質材料からなる。
【００１３】
該簡易便器(1) の両側の肘掛け(6) の肘支え板(11,11) の前端部には前面支え部材(14)が差渡される。図３に示すように該前面支え部材(14)の本体は金属棒またはパイプからなる支持杆(151) と、該支持杆(151) の外周に設けられているエラストマーやゴムからなる部材本体であるクッション層(152) と、該支持杆(151) の両端に摺動可能に嵌着されている摺動支持杆(153) とからなり、下面部(18)と垂直面部(19)とからなるブラケット(16)が該垂直面部(19)を介して該摺動支持杆(153) に取付けられている。
【００１４】
上記便器(1) を使用する時には、図２に示すように座蓋(4) を二つ折りに折畳んで後方へ跳ね上げ撤去状態とし、使用者は便座(3) 上に腰を下ろし、それから前面支え部材(14)を左右両側の肘掛け(6) の肘支え板(11,11) の前端部に差渡す。この際便器(1) のサイズ、即ち簡易便器(1) の両側の肘掛け(6) の間隔Ｌに対応して該摺動支持杆(153) の一方または両方を摺動させて位置決めした上で、ブラケット(16)を介して肘掛け(6) の肘支え板(11,11) に固定する。この前面支え部材(14)の本体は円筒状であるから、その上に腕を支える他、手で握ることも出来る。
このようにして図２に示すように前面支え部材(14)は左右両側の肘掛け(6) 間に差渡され、使用者は前かがみの力を入れ易い姿勢をとり、腕を該前面支え部材(14)に支える。
【００１５】
使用後は締付けボルト部材(25)をゆるめて該前面支え部材(14)を肘掛け(6) の間から取りはずす。
【産業上の利用可能性】
【００１６】
本発明の簡易便器は、使用者の使い勝手が非常に良好であるから、老人や病人等の体力のない人にとっても、楽に排便出来る。
【図面の簡単な説明】
【００１７】
図１〜図４は本発明の一実施例を示すものである。
【図１】通常時斜視図
【図２】使用時斜視図
【図３】前面支え部材斜視図
【図４】前面支え部材取付状態正面説明図
【符号の説明】
【００１８】
1               簡易便器
2               便器本体
3               便座
4               座蓋
6               肘掛け
11              肘支え板
14              前面支え部材
16              ブラケット
18              下面部
19              垂直面部
25              締付けボルト部材
151             支持杆
152 部材本体（クッション層）
153             摺動支持杆
【図１】
0004427339.tif 000002
【図２】
0004427339.tif 000003
【図３】
0004427339.tif 000004
【図４】
0004427339.tif 000005